(57)【要約】【解決手段】セルの中を循環する透析液と塗料槽を切り離すための、好ましくは堅い支持構造物（８）と少なくとも１つの電極（７）を有する、特に塗料槽への浸漬による塗装工程のための管状電着・電気透析セル（１）で、支持構造物（８）に密着し、かつ、膜の取り外しを可能にする支持構造物（８）と協働する部材（２１，２４，４１，４２，４６）を備える。【選択図】図１
2005500438.tif 000002
【特許請求の範囲】
【請求項１】
少なくとも１つの電極（７）；支持構造物（８）；及び電極から所定の離れた位置に、前記支持構造物と周囲の前記電極により固定される半透膜（９）を備え、そして、半透膜と前記電極の間に少なくとも部分的に伸びる、透析液を循環させるチャネル（５０）を有し、前記半透膜（９）を取り替えられるように前記支持構造物（８）に着脱可能に、前記半透膜を密着させる支持構造物と協働する部材（２１，２４，４１，４２，４６）を備えたことを特徴とする管状の電着・電気透析セル（１，１ａ，１ｂ）。
【請求項２】
前記支持構造物（８）は、堅い筒状体（１３）の構造物であり、前記半透膜（９）は前記堅い構造物により支持されていることを特徴とする請求項１記載の管状のセル。
【請求項３】
前記支持構造物（８）は、格子で規定された多数の窓（１７）と、該窓（１７）を閉じる前記半透膜（９）を有する堅い筒状体（１３）からなることを特徴とする請求項２記載の管状のセル。
【請求項４】
前記筒状体（１３）は前記半透膜（９）より長いことを特徴とする請求項３記載の管状のセル。
【請求項５】
前記窓（１７）は、半径方向の成分（ｔｈｅ  ｃｉｒｃｕｍｆｅｒｅｎｔｉａｌ ｄｉｍｅｎｓｉｏｎ）より長い軸方向成分を有する軸方向拡大された半径方向の開口であることを特徴とする請求項３又は４記載の管状のセル。
【請求項６】
前記筒状体（１３）は、１又はそれ以上の電極（７）収納用の内部空間を有する円筒体であることを特徴とする請求項３ないし５のいずれかに記載の管状のセル。
【請求項７】
前記筒状体（１３）は、中央の筒体（６０）と該中央筒体（６０）により支持され、それぞれの電極（７）を収納した多数のシートを規定する半径方向に伸びる多数のアーム（６２）を備えたことを特徴とする請求項３ないし５のいずれかに記載の管状のセル。
【請求項８】
前記筒状体（１３）は、無端状の通路に沿って伸び、無端状のシール（２４）を収納した溝（２１）を備えたことを特徴とする請求項６または７記載の管状のセル。
【請求項９】
前記溝（２１）は、前記筒状体（１３）の反対側の２つの軸端（１４，１５）に形成された２つの円周方向部分（２２）と、互いに密に隣接し、円周方向部分（２２）を接続する２つの直線的な軸部分（２３）を備えたことを特徴とする請求項８記載の管状のセル。
【請求項１０】
前記半透膜は、互いに重なりあい、前記溝（２１）の前記軸方向部分（２３）の上方にある２つの端部（３６）を有するシートであることを特徴とする請求項１０記載の管状のセル。
【請求項１１】
前記部材は、シール（２４）の挿入物（ｉｎｔｅｒｐｏｓｉｔｉｏｎ）で筒体（１３）に対して半透膜（９）をつかむための締結用アセンブリ（４１，４２，４６）を備えたことを特徴とする請求項１０記載の管状のセル。
【請求項１２】
前記部材は、前記溝（２１）の前記円周方向部分（２２）の上方に重ね合わされた２つの締結用リング（４３）を備えたことを特徴とする請求項１１記載の管状のセル。
【請求項１３】
前記部材は、前記溝（２１）の前記軸方向部分（２２）の上方に重ね合わされた前記締結用リング（４３）の間に縦方向に伸びた締結用バー（４７）を備えたことを特徴とする請求項１２記載の管状のセル。
【請求項１４】
前記半透膜（９）は、２つの互いに重なり合い、縦方向に溶接された端部（３６）を有するシートで規定された筒状体であるか、又は継ぎ目のない筒の形で作製されたことを特徴とする請求項１記載の管状のセル。
【請求項１５】
前記支持構造体（８）は、半透膜（９）が巻かれた網状又は格子状の筒体（１３）と管体（１３）の対極の軸方向端部（１４，１５）に配置され、無端状シール（２４）を収納した各溝（９０）を有する２つの接続部分（８４，８５）とを備え、該部材は、前記シール（２４）の挿入物（ｉｎｔｅｒｐｏｓｉｔｉｏｎ）で、前記接続部分（８４，８５）に対して半透膜（９）をつかむために前記溝（９０）の上方に重ね合わせた２つの締結用リング（４３）を備えたことを特徴とする先行する請求項記載の管状のセル。
【発明の詳細な説明】
【０００１】
【発明の属する技術分野】
本発明は管状電着塗装・電気透析セルに関し、特に、塗料槽に浸して塗装する電着塗装と電気透析セルに関する。
【０００２】
【従来の技術】
よく知られている通り、電着塗装被覆又は塗装工程において、塗装対象物はタンク内の塗料槽に浸される。適当な電界が槽に発生すると、塗料粒子が塗装対象物の表面に移動・付着して、膜がむらなく形成される。
【０００３】
当該工程で、管状の電着塗装・電気透析セルは、塗料膜を電着塗装するのに必要な電界を槽に発生させ（例えば、電着塗装の過程で電極、すなわち塗装対象物により定められる反対側の電極として作用する）、かつ、塗料槽からイオンを除去し、その化学的特性（特に、酸性）を一定に保つ透析セルとして作用するという２つの機能を果たす。
【０００４】
そのため、管状セルは一般的に支持構造物、管状の金属電極、及び半透膜を備え、それらはセル内の透析液（電解質）を循環させるチャネルを規定する。そして、膜は使用中、タンク内の塗装槽をセルの中を循環する電解質から離すため電極から所定の距離にある支持構造物に取り付けられる。
【０００５】
【発明が解決しようとする課題】
公知の管状セルの支持構造物は、膜が巻かれ、膜全体の長さに沿う伸長自在のネットを備える。セルを封じ、塗料槽による電解質の汚染を防ぐために、公知の管状セルの膜は支持構造物に接着される及び／又は溶接されるのであるが、シート材料によっては（ｂｅｉｎｇ ｄｅｆｉｎｅｄ ｂｙ ａ ｓｈｅｅｔ ｅｌｅｍｅｎｔ）、管状セルの軸端部で溶接されるだけでなく、縦方向の継目に沿って溶接されなければならない。
【０００６】
しかしながら、当該膜には、使用中に摩損や損傷を被るという欠点がある。当該用途に通常使用される膜は、実際、常に脆く、急速に変質する。そして、セルを設置し、修理し、又は操作するときでさえ、対象物はセル、さらには最も露出したセルの表面を覆う膜に偶然接触する場合がある。よく知られている通り、膜に穴があくと、電解質と塗料槽が相互に混じり合い、セル全体の作用（ｏｐｅｒａｔｉｏｎ）が徹底的に、取り返しがつかない程、害される。
【０００７】
そして、膜は永久にセルに固定されるので、膜が破損、構造的欠陥、又は摩耗した場合、そのセル全体を取り替えなければならない。
【０００８】
本発明の目的は、先に述べた従来技術の欠陥を排除するように設計された管状のセルを提供することである。
【０００９】
【課題を解決するための手段】
本発明によれば、少なくとも１つの電極、支持構造物及び電極から所定の離れた位置に、前記支持構造物と周囲の前記電極により固定される半透膜を備えた管状の電着・電気透析セルからなり、そして、管状セルは、半透膜と前記電極の間に少なくとも部分的に伸びる、透析液を循環させるチャネルを有し、前記管状セルは、前記半透膜を取り替えられるように前記支持構造物に着脱可能に、前記半透膜を密着させる支持構造物と協働する部材を備えたことを特徴とする管状の電着・電気透析セルが提供される。
【００１０】
本発明による管状セルは、膜に損耗、損傷又は欠陥が生じた場合に、管状セル全体又は主要な部分に対して、単に膜を取り替えるだけで管状セルの性能を回復できる。有効な膜の密封を確実に行うと同時に、素速く、容易に、２，３の簡単な操作で膜を取り替えることができて、管状セル全体を比較的安価で容易に組立加工できる。
【００１１】
本発明の重要な観点は、公知の解決手段と比較して、他のものの中で（ａｍｏｎｇ ｏｔｈｅｒ ｔｈｉｎｇｓ）、このように、堅く（ｂｅｉｎｎｇ ｒｉｇｉｄ ）、交換した膜の表面が大きくなる、膜が取り付けられた支持構造物にある。すなわち、膜の支持機能は、伸縮自在の支持用ネットを使用して、比較的密な（ｔｉｇｈｔ）メッシュを必要とするが、強固な支持構造物は比較的大きい流路の構成を可能にする。
【００１２】
【発明の実施の形態】
本発明の非限定的な実施例を付随の図面を参照して以下詳述する。
図１の符号１は自由表面４により規定され所定レベルまで上げた塗料槽３を備えるタンク２に設置された電着塗装と電気透析セルを全体的に示したものである。セル１は、簡略化のため図示しない公知の方法で、タンク２の側壁６に近接するタンク２の縁５に固定される。
【００１３】
セル１は電極７、支持構造物８、及び、電極７から所定の離れた位置で支持構造物８により固定され電極７を囲む半透膜９を備える。
【００１４】
電極７はセル１に対して対称的に中心軸Ａに沿って伸長する直線状の中空円筒によって規定される管状電極である。
【００１５】
支持構造物８はヘッド１１、ボトムキャップ１２、及び、例えば堅い（ｒｉｇｉｄ）重合体材で作られた、直線状で円形断面の管状剛体１３を備える剛体構造物である。管体１３は電極７に対して共軸的で外側円周方向に位置し、２つの相対する上下に開口した各軸端１４，１５を有する。また、ヘッド１１は軸端１４で管体１３の端部により定められ、キャップ１２は管体１３の軸端１５に溶接される（または、どのような方法でもよいが、液密方法（ｆｌｕｉｄｔｉｇｈｔ ｍａｎｎｅｒ）で固定される）。
【００１６】
特に図４で示すように、多数の放射状に広がる窓１７が、管体１３の筒状側壁１６に形成され、円周方向に間隔をあけて区切られた、軸に対して細い縦長のスリットにより示される例で規定され、平行に幾重にも重なって配置され格子を規定し、管体１３のスリット１８により規定され互いに離されている。側壁１６は開口部のない堅固な軸部１９を備え、各窓１７の軸の長さはその円周軸よりもずっと長く、窓１７の全面積は側壁１６の堅固な部分よりもはるかに大きい。
【００１７】
側壁１６の放射状に広がる外側の側部表面２０は、無端状の通路（ｅｎｄｌｅｓｓ ｐａｔｈ）に沿って伸び、２つの実質的に平行な円周部２２を備えた連続する溝２１と、側壁１６の軸部１９に形成され、円周部２２に垂直に接続する２つの実質的に平行で密接に隣接した直線状の軸部２３を備える。
【００１８】
溝２１は、例えば変形可能な弾性材でできた無端状のシール２４を収容し、溝２１の中に収容されると、それは溝２１の円周部２２に収まった２つの小穴２５と、溝２１の軸部２３に収まった２つの垂直部２６とを備えた作業構成（図５）をとる。溝２１に収容され変形しない場合、シール２４は溝２１から放射状に突出するような断面を有する。
【００１９】
ヘッド１１（図４）の末端は、例えば各スロットにより定められた、円周方向に３つスペースの空いた接続シート２８を有する環状縁部２７である。しかしながら、縁部２７の数とシート２７の配置の両方がここでほんの一例として示したものと異なってもよい。
【００２０】
管体１３は電極７を収容する内側シート２９を備え、電極７には、例えば電極７の側壁にねじ込んだ各ボルトにより規定され、接続シート２８に対応する位置にある３つの放射状の外側締結部材３２が頂端部２８に備わり、締結部材３２はシート２９内の電極７を支持する接続シート２８の中に軸方向に挿入され、電極７はキャップ１２から下向きに所定の距離まで突出し、電極７の端部３１は電極７を供給する公知の電気コネクタ３３を支える。
【００２１】
ヘッド１１は排出部材３５に接続される通し穴３４を放射状に備える。
【００２２】
元来公知の膜９は、管体１３の縦軸よりも短いが、溝２１の周辺部２２の軸の距離よりも長い長さ（軸Ａに沿って軸方向に測定した）の、実質的に長方形で、適当な半透膜性のシートにより規定される。
【００２３】
膜９は管体１３（図２）の側部表面２０の周りに巻かれ、膜９の２つの端部３６は側壁１６の堅い軸部１９で重なるので、膜９は使用時に連続した管状形態をとる。
【００２４】
２つの締結用アセンブリ４１，４２は溝２１の周辺部２２の上に嵌め込まれ、それぞれ完全に向かい合う公知のねじ山のある締結部材４５を用いて互いに着脱自在に取り付けられた２つの半リング４４により固定する締結用リング４３（図３）を備える。半リング４４はそれぞれ、シール２４の挿入物と共に、管体１３の側部表面２０に対して膜９の各軸端を使用中に固定する管体１３に広がる半円形の内側の側部表面を有する。
【００２５】
３つ目の締結用アセンブリ４６（図１、２及び図６）は締結用リング４３の間で、側壁１６の堅い軸部１９の上、従って、溝２１の軸部２３の上、かつ、膜９の重なり部３６の上に縦方向に伸びる締結バー４７を備える。締結バー４７は支持構造物８内に収容された対の部材（ａ ｍａｔｉｎｇ ｍｅｍｂｅｒ）４９に形成された各シートを噛み合わせる膜９の部分３６を介して使用中に挿入された、軸方向に一定の間隔を保つ、ねじ山のある締結部材４８を多数有し、シール２４の挿入物と共に、管体１３の側部表面２０に対して部材９の重なり部３６を固定する。
【００２６】
実際の使用では、透析液（電解質）を循環させるチャネル５０はセル１の中で規定される。より明確には、透析液は端部３１を通って電極７に供給され、キャップ１２に到達すると電極７の外側側部表面と膜９により規定される環状間隙の内側のヘッド１１と排出部材３５に逆流する。窓１７は、セル１と槽３を循環する透析液の間でイオン交換される各流路を規定する。
【００２７】
セル１の作用は公知の管状セルのそれと同一であるから、簡略化するために詳述しない。
【００２８】
破損又は摩耗した場合、（ねじ山のある各締結部材４５，４８のねじを抜いて）締結用アセンブリ４１，４２，４６をはずし、膜９を除去し、管体１３の周りに新しい膜を巻き、締結用アセンブリ４１，４２，４６を締め直して管体１３に新しい膜を密着させることにより、膜９は取り替えられる。
【００２９】
図７と図８は、単一の管状電極とは対照的に、この場合、堅固な円形断面の円筒状バーにより規定され軸Ａの周りに配置された多数の電極７を収容するセル１の変形例を示す。電極７は、電極ホルダ板５１の側縁５３から放射状に突出し、側縁５３に形成された対応するナットねじシート（ｎｕｔ ｓｃｒｅｗ ｓｅａｔｓ）の中にねじ込められたねじ山のある各ロッドにより図示した実施例で規定される、外側締結部材３２（図７にのみ図示した）を放射状に３つ有するディスク形の電極ホルダ板５１により支持される。締結部材３２はヘッド１１上の接続シート２８に対応するように設置され、電極ホルダ板５１を支持するために接続シート２８内に軸方向に挿入される。
【００３０】
電極ホルダ板５１には、例えばポリ塩化ビニルや他の適当な高分子素材で作られ、中心孔５４の周端部と協働して放射状の外側カラー５６により支持された管５５を収容する中心孔５４がある。
【００３１】
電極ホルダ板５１は、シート５７（図７にのみ図示した）を介して実質的に中心孔５４の周り（及び、従って軸Ａの周り）に配置された。図示した実施例では、電極ホルダ板５１上のシート５７の数と配置の両方が実施例を用いてここで図示したものとは異なるかも知れないが、３つのシート５７は締結部材３２と対応する位置にある。
【００３２】
電極７の各頂端部はシート５７の中に挿入される。電極７はそれぞれ、電極７を各シート５７の周縁部に設置してシート５７の中に軸方向に固定する、（例えば、電極７のねじ山のある部分にねじ込められたナット、又は放射状のフランジにより規定された）放射状の外側締結部５８を有する。
【００３３】
管５５と電極７の両方がキャップ１２から所定の距離に下向きに突出し、底部が開口している管５５はセル１の中に透析液を循環させるチャネルを規定し、透析液は管５５と部材９により規定された環状間隙内に逆流する。
【００３４】
電極７の１つには公知の電気コネクタ３３があり、電流が電極ホルダ板５１（導電性材製の場合）又は別の接続部材（図示せず）により他の電極に流れる。
【００３５】
図９〜図１２は、既述のものと同様又は同一のアイテムは同じ参照番号を使用して示してあるが、本発明による管状セル１ａの変形例で塗料槽２に再び設置したものを図示する。
【００３６】
セル１ａは、ヘッド１１、ボトムキャップ１２、及び、まっすぐな堅い管体１３、例えば、堅い重合体素材で作られた押出面などを有する堅い支持構造物８を順番に備える。しかしながら、この場合、管体１３は軸Ａと一致する直線軸を有し、管状部材６０に平行な堅い縦リブ６１を全体的に支持する円形断面の管状部材６０と、管状部材６０に平行な多数の縦アーム６２を備える。アーム６２は管状部材６０の周りに放射状に配置され、周囲に一定の間隔を保ち、管状部材６０から放射状に突出して各電極７の多数のシートを固定する。
【００３７】
リブ６１とアーム６２は管状部材６０の所定の部分に沿って縦に伸び、アーム６２は管状部材６０に接続する接続端部６３と丸くした自由端部６４をそれぞれ備え、ともに接続端部６３から自由端部６４にかけて先細になる断面を有する。
【００３８】
また、管体１３は外側の筒状側壁表面６６をそれぞれ半径方向に有し、リブ６１により互いに接続したアーム６２の周りに外に向かって放射状に固定され、軸方向に間隔のあいたカラー６５を２つ備え、そして、管状部材６０の外側に、カラー６５の側部表面６６に継ぎ目のない状態で接続した放射状に曲がった外部表面６７を有する。
【００３９】
アーム６２の自由端部６４同士の隙間には、アーム６２により互いに固定され、分離された窓１７がそれぞれ放射状に十分に用られ、各窓１７の縦軸はその周辺部の長さよりずっと長く、リブ６１は開口部を持たない、管体１３の堅い軸部を固定する。
【００４０】
管体１３の側部表面２０には、無端状の通路（ｅｎｄｌｅｓｓ ｐａｔｈ）に沿って伸び、カラー６５の側部表面６６に形成された２つの実質的に平行な周辺部２２、周辺部２２に垂直に接続されリブ６１の表面６に形成された２つの実質的に平行な軸部２３を順に備える連続する溝２１がある。既述の通り、溝２１は無端状のシール２４を収容し、溝２１に収容されたとき、図５で示したのと同様の作業形態をとる。
【００４１】
電極７はそれぞれ直線的で円形断面の堅いバーにより固定され、アーム６２の間で、かつ、管状部材６０、従って軸Ａに平行な場所に位置する。
【００４２】
電極７は、管体１３によって全体的に一体となるように支持され、ヘッド１１の開口先端部をふさぐ横断面ディスク型のカバーにより規定される電極ホルダ板５１により支持される。また、管状部材６０は電極ホルダ板５１を介して中央に固定され、軸Ａの周りに配置された、平行な多数の通し用シート（ｔｈｒｏｕｇｈ ｓｅａｔ）５７を有する。さらに、電極７の軸の最端部３１が、それぞれシート５７の中に挿入され、電極７が設置されたとき、電極ホルダ板５１の頂部表面とシート５７の周縁部の上で支える締結部５８（例えば、ねじ山のある各ロッドにねじ込められたナットにより固定された）を放射状に有する。
【００４３】
また、ボルト６８は、電極７に接続し、電気コネクタ３３を備える電極ホルダ板５１上に位置する環状接続板６９に電極７の端部３１を固定する。
【００４４】
適当な半透膜性素材でてきた、実質的に長方形のシートによって再び形づくられた（ｄｅｆｉｎｅｄ ）膜９は支持構造８の周りに巻き上げられる。より明確には、膜９はアーム６２のフリー端部６４の上に広がり、膜９の２つの端部３６は重なってリブ６１の表面６７に固定されるので、膜９は使用中に閉多角形構造をとる。
【００４５】
また、膜９はカラー６５の側部表面６６の周りに巻かれて、既述の通り、締結用アセンブリはシール２４の挿入物と一緒に、管体１３の側部表面２０に対して膜９を使用中に固定するために用いられる。より明確には、締結用アセンブリ４１，４２（既述のものと同一）はカラー６５と協働する管体１３の軸端１４，１５に固定され、３つ目の締結用アセンブリ４６は締結用アセンブリ４１，４２の間とリブ６１上に縦に伸びる締結バー４７を備え、それに対して軸方向に間隔を保つ、多数のねじ山のある締結部材４８により着脱可能に据え付けられた。そして、ねじ山のある締結部材４８が使用中にリブ６１に形成された各シートを噛み合わせるための膜９の部分３６を介して挿入された。
【００４６】
また、電解質の透析液を循環させるチャネル５０はセル１ａの中に設けられる（ｉｓ ｄｅｆｉｎｅｄ ）。この場合、透析液は管状部材６０の開口した先端部の７１を通って供給され、キャップ１２に達すると、アーム６２と膜９により管状部材６０の外側に規定される導管７０に沿ってヘッド１１と排出部材３５外に逆流する。セル１ａと槽３を循環させる透析液の間のイオン交換は膜９によってふさがれた窓１７を通して起こる。
【００４７】
この変形例でも、膜９が破損又は摩耗した場合、単に、締結用アセンブリ４１，４２，４６をはずして、膜９を取り除き、それを新しい膜に取り替えて、締結用アセンブリ４１，４２，４６を締め直すだけで取り替えられる。
【００４８】
図１３〜１５（既述のものと同様又は同一のアイテムは同じ参照番号を使用して示した）では、本発明によるセルの他の変形例１ｂを示す。また、セル１ｂ（その頂点部は図１のセルのそれと同一であるが、従って図１３には図示されない）は電極７を収容し、半透膜９を支える支持構造物８を備える。支持構造物８は電極７に対して同軸で、放射状に外側に向いた直線管体１３を備え、それぞれ対極側（それそれ頂部と底部）の開口軸端１４，１５で、ヘッド１１と、脱着可能なキャップ１２により閉じられた通し孔が形成された底壁部８１を有する端部８０に接続される。
【００４９】
ヘッド１１と端部８０は高分子素材、例えば、ポリプロピレン製の各円筒管によって規定されて、管体１３の各軸端１４，１５に接続するための実質的に筒状の接続部８４，８５をそれぞれ備える。接続部８４，８５は実質的に類似で、対称に互いに向き合って配置され、互いに向き合い管状肩部８７により固定される円筒状の各レッジ８６が終端となる。接続部８４，８５の側部表面８８には、それぞれ２つの平行な周辺溝８９，９０（図１５）がある。
【００５０】
軸端部１４，１５は、どのような公知の方法（例えば、溶接や力ずくで嵌め込む）でも、管状の端部レッジ８６に嵌め込まれ、固定される。
【００５１】
管体１３は格子やネットの形態をとり、実質的に堅固、又は半堅固で、高分子材製、例えば、ポリ塩化ビニル製又はポリプロピレン（ＰＰ）製であることが望ましい。
【００５２】
膜９は、実質的に縦軸全体にわたって液密方法（ｆｌｕｉｄｔｉｇｈｔ ｍａｎｎｅｒ）で溶接した２つの重なった端部３６を有する長方形のシートにより実施例（図１４）でも規定される管状の膜であるか、継ぎ目のない形態で公知の方法で作られる。いずれの場合も、端部３６の接合面を含む膜９の全ての部分には同じ半透膜性の特性がある。
【００５３】
膜９は管体１３の周りに巻き上げられ、その軸端部９１はそれぞれ、ヘッド１１の接続部８４，８５、及び端部８０、特に溝８９，９０を覆う。
【００５４】
２つの締結用アセンブリ４１，４２は接続部８４，８５上と、特に対の溝８９，９０の上に嵌め込まれ、各々、正反対の、公知のねじ山のある締結部材４５により互いに着脱自在に固定された２つの半リング４４により規定される締結リング４３を備える。各締結用リング４３は、実質的に環状の内側側部表面９２を有し、それにより接続部８４，８５の側部表面８８で支えられる。また、環状の各突出物９３を内側に放射状に有し、それにより溝８９が噛み合う。一方、溝９０はシール２４（例えば、エラストマー製のＯ型リングシール）をそれぞれ収容する。
【００５５】
実際の使用で、締結用アセンブリ４１，４２はシール２４の挿入物で接続部８４，８５に対して膜９の軸端部９１をつかみ、膜９は突出部９３と突出部９３によって噛み合わせられた溝８９の間に鋏まれる。
【００５６】
膜９は、単に、締結用アセンブリ４１，４２をはずし（ねじ山のある各締結部材４５をはずすことにより）、膜９を取り除き（それを軸方向に引き下げる、または切断することにより）、管体１３の周りに新しい膜を巻き付け、新しい膜を管体１３に密着させ、締結用アセンブリ４１，４２を締め直すだけで取り替えられる。
【００５７】
明らかに、本発明の範囲から逸脱することなく、しかしながらここで詳述し、図示したように管状セルに変化が生じうる。
【図面の簡単な説明】
【図１】部品断面を部分的に示し、部品を部分的に取り除いて明確にした、塗料タンクに設置された管状セルの概略側面図を示す。
【図２】図１のＩＩ−ＩＩ線断面図を示す。
【図３】図１のＩＩＩ−ＩＩＩ線断面図を示す。
【図４】図１のセルの構成部品の透視図である。
【図５】図１のセルの構成部品の透視図である。
【図６】図１のセルの部分背面図である。
【図７】部品断面を部分的に示し、部品を部分的に取り除いて明確にした、本発明によるセルの他の実施例の概略側面図を示す。
【図８】図７のＶＩＩＩ−ＶＩＩＩ線断面図を示す。
【図９】部品断面を部分的に示し、部品を部分的に取り除いて明確にした、本発明によるセルの他の実施例の概略側面図を示す。
【図１０】図９のセルの組み立て工程中の、図９のＸ−Ｘ線部分断面概略図を示す。
【図１１】図９のセルの組み立て工程中の、図９のＸ−Ｘ線部分断面概略図を示す。
【図１２】図９のＸＩＩ−ＸＩＩ線断面図を示す。
【図１３】部品断面を部分的に示し、部品を部分的に取り除いて明確にした、本発明によるセルの他の実施例の概略側面図を示す。
【図１４】図１３のセルの大縮尺詳細図を示す。
【図１５】図１３のセルの大縮尺詳細図を示す。
【符号の説明】
１，１ａ，１ｂ  セル        ２  タンク
３  塗料槽                  ４  自由表面
５  縁                      ６  側壁
７  電極                    ８  支持構造物
９  半透膜                  １１  ヘッド
１２  ボトムキャップ        １３  管体
１４，１５  軸端            １６  側壁
１７  窓                    １８  スリット
１９  軸部                  ２０  側部表面
２１  溝                    ２２  円周部
２３  軸部                  ２４  シール
２５  小穴                  ２６  垂直部
２７  縁部                  ２８  接続シート
２９  シート                ３１  端部
３２  締結部材              ３３  電気コネクタ
３４  通し穴                ３５  排出部材
３６  端部
４１，４２，４６  締結用アセンブリ
４３  締結用リング          ４４  半リング
４５  締結部材              ４７  締結用バー
４８  締結部材              ４９  部材
５０  チャネル              ５１  電極ホルダ板
５３  側縁                  ５４  中心孔
５５  管                    ５６  カラー
５７  シート                ５８  締結部
６０  筒体                  ６１  リブ
６２  アーム                ６３  接続端部
６４  自由端部              ６５  カラー
６６  側壁表面              ６７  外部表面
６８  ボルト                ６９  環状接続板
７０  導管                  ７１  先端部
８０  端部                  ８１  底壁部
８４，８５  接続部          ８６  レッジ
８７  管状肩部              ８８  側部表面
８９，９０  溝              ９１  軸端部
９２  側部表面              ９３  突出物
【図１】
2005500438.tif 000003
【図２】
2005500438.tif 000004
【図３】
2005500438.tif 000005
【図４】
2005500438.tif 000006
【図５】
2005500438.tif 000007
【図６】
2005500438.tif 000008
【図７】
2005500438.tif 000009
【図８】
2005500438.tif 000010
【図９】
2005500438.tif 000011
【図１０】
2005500438.tif 000012
【図１１】
2005500438.tif 000013
【図１２】
2005500438.tif 000014
【図１３】
2005500438.tif 000015
【図１４】
2005500438.tif 000016
【図１５】
2005500438.tif 000017
【国際公開パンフレット】
2005500438.tif 000018
2005500438.tif 000019
2005500438.tif 000020
2005500438.tif 000021
2005500438.tif 000022
2005500438.tif 000023
2005500438.tif 000024
2005500438.tif 000025
2005500438.tif 000026
2005500438.tif 000027
2005500438.tif 000028
2005500438.tif 000029
2005500438.tif 000030
2005500438.tif 000031
2005500438.tif 000032
2005500438.tif 000033
2005500438.tif 000034
2005500438.tif 000035
2005500438.tif 000036
2005500438.tif 000037
2005500438.tif 000038
2005500438.tif 000039
2005500438.tif 000040
2005500438.tif 000041
2005500438.tif 000042
2005500438.tif 000043
2005500438.tif 000044
2005500438.tif 000045
2005500438.tif 000046
2005500438.tif 000047
2005500438.tif 000048
【国際公開パンフレット（コレクトバージョン）】
2005500438.tif 000049
2005500438.tif 000050
【国際公開パンフレット（コレクトバージョン）】
2005500438.tif 000051
2005500438.tif 000052
【国際調査報告】
2005500438.tif 000053
2005500438.tif 000054
2005500438.tif 000055